(57)【要約】  入力データに所定のデータ処理を実施する主データ処理部２を備え、主データ処理部２の動作が停止している状態である休止状態と主データ処理２が動作している状態である通常状態との２つの状態を切り替えて動作する通信装置であって、前記入力データから通信状態を示す通信状態情報を抽出するフィルタ部１と、前記通信状態情報に基づいて、主データ処理部２を休止状態または通常状態に遷移させる副データ処理部３の信号処理部３１と、を備える。
2010092683.tif 000002
【特許請求の範囲】
【請求項１】
入力データに所定のデータ処理を実施するデータ処理手段を備え、前記データ処理手段の動作が停止している状態である休止状態と前記データ処理手段が動作している状態である通常状態との２つの状態を切り替えて動作する通信装置であって、
前記入力データから通信状態を示す通信状態情報を抽出するフィルタ手段と、
前記通信状態情報に基づいて、前記データ処理手段を休止状態または通常状態に遷移させる信号処理手段と、
を備えることを特徴とする通信装置。
【請求項２】
前記通信状態情報を記憶するための記憶手段、
をさらに備え、
前記フィルタ手段は、抽出した通信状態情報を前記記憶手段に記憶し、
前記信号処理手段は、前記記憶手段に記憶されている通信状態情報に基づいて前記データ処理手段を休止状態または通常状態に遷移させ、また、前記記憶手段に記憶されている通信状態情報の転送処理を行うことを特徴とする請求項１に記載の通信装置。
【請求項３】
前記転送処理対象の通信状態情報と送信データとを多重化して送信することを特徴とする請求項２に記載の通信装置。
【請求項４】
前記通信状態情報を、通信制御を行うプロトコルに基づく制御信号とすることを特徴とする請求項１、２または３に記載の通信装置。
【請求項５】
前記信号処理手段は、単位時間あたりの前記制御信号の到着数を計数し、その到着数に基づいて前記データ処理手段を休止状態または通常状態に遷移させることを特徴とする請求項４に記載の通信装置。
【請求項６】
親局装置と複数の子局装置で構成され、前記子局装置が、入力データを処理するデータ処理手段を備え、かつ、前記データ処理手段の動作が停止している状態である休止状態と前記データ処理手段が動作している状態である通常状態との２つの状態を切り替えて動作する場合、における通信システムであって、
前記親局装置は、
前記子局装置から受信した受信データから通信状態を示す通信状態情報を抽出する第１のフィルタ手段と、
前記子局装置宛ての送信データから通信状態を示す通信状態情報を抽出する第２のフィルタ手段と、
子局装置ごとに、前記通信状態情報に基づいて休止状態への遷移または通常状態への遷移を指示するか否かを決定する親局信号処理手段と、
前記決定した結果に基づいて、子局装置に休止状態への遷移または通常状態への遷移を指示するための制御信号を生成する親局制御信号生成手段と、
前記子局装置宛ての送信データとその子局装置宛ての前記制御信号とを多重化して送信する多重手段と、
を備え、
前記子局装置は、
前記親局装置から受信した受信データから前記制御信号を抽出する子局フィルタ手段と、
抽出した制御信号に基づいて休止状態または通常状態への遷移を行う子局信号処理手段と、
を備えることを特徴とする通信システム。
【請求項７】
前記子局装置は、
前記親局装置宛ての制御信号を生成する子局制御信号生成手段、
をさらに備え、
前記子局信号処理手段が、休止状態への遷移または通常状態への遷移を実施した場合に、その旨を前記子局制御信号生成手段へ通知し、
前記子局制御信号生成手段が、前記子局信号処理手段からの通知に基づいて前記親局装置宛ての制御信号を生成することを特徴とする請求項６に記載の通信システム。
【請求項８】
親局装置と、前記親局装置から下りデータを受信しかつ前記親局装置以外の装置から上りデータを受信する複数の子局装置と、を備える通信システム、における前記子局装置であって、
前記下りデータから通信状態を示す第１の通信状態情報を抽出する第１のフィルタ手段と、
前記上りデータから通信状態を示す第２の通信状態情報を抽出する第２のフィルタ手段と、
前記下りデータに対してデータ処理を実施する第１のデータ処理手段と、
前記上りデータに対してデータ処理を実施する第２のデータ処理手段と、
前記第１の通信状態情報および前記第２の通信状態情報に基づいて、前記第１のデータ処理手段の動作の停止および開始と、前記第２のデータ処理手段の動作の停止および開始と、を個別に制御する信号処理手段と、
を備えることを特徴とする子局装置。
【請求項９】
前記親局装置宛ての制御信号を生成するための制御信号生成手段、
をさらに備え、
前記信号処理手段が、前記第１のデータ処理手段の動作の状態と、前記第２のデータ処理手段の動作の状態とを前記制御信号生成手段へ通知し、
前記制御信号生成手段が、前記信号処理手段からの通知に基づいて前記親局装置宛ての制御信号を生成することを特徴とする請求項８に記載の子局装置。
【発明の詳細な説明】
【技術分野】
【０００１】
本発明は、データ通信を行う通信システムにおいて省電力化を実施する通信装置および通信システムに関するものである。
【背景技術】
【０００２】
従来の通信装置における消費電力削減方法では、たとえば、下記特許文献１に記載されているように、通信装置が、送受信を行うデータパケットについて、その発生数、発生間隔などについてサンプル処理を実施し、送受信データパケットが発生していない期間で装置の動作を停止させる方法を用いていた。【０００３】
【特許文献１】特開２００５−３３５８６号公報
【発明の開示】
【発明が解決しようとする課題】
【０００４】
しかしながら、従来の消費電力削減方法では、送受信パケットの発生状態を監視して休止状態・通常状態の遷移を判断している。そのため、休止状態でパケットを受信した場合、通常状態に遷移するまではパケットを損失してしまう、という問題があった。また、休止状態から通常状態に遷移するまでに多数のパケットを監視するため、通常状態への遷移に時間がかかる、という問題もあった。【０００５】
本発明は、上記に鑑みてなされたものであって、休止状態で受信したパケットの損失を防ぎ、また、休止状態から通常状態へ短時間で遷移することができる通信装置および通信システムを得ることを目的とする。
【課題を解決するための手段】
【０００６】
上述した課題を解決し、目的を達成するために、本発明は、入力データに所定のデータ処理を実施するデータ処理手段を備え、前記データ処理手段の動作が停止している状態である休止状態と前記データ処理手段が動作している状態である通常状態との２つの状態を切り替えて動作する通信装置であって、前記入力データから通信状態を示す通信状態情報を抽出するフィルタ手段と、前記通信状態情報に基づいて、前記データ処理手段を休止状態または通常状態に遷移させる信号処理手段と、を備えることを特徴とする。
【発明の効果】
【０００７】
本発明にかかる通信装置は、上位レイヤの制御信号を検出し、検出された制御信号に基づいて通信状態を判定し、判定した通信状態に基づいてデータ処理部の動作の停止および開始の制御を行うようにしたので、休止状態で受信したパケットの損失を防ぎ、また、休止状態から通常状態へ短時間で遷移することができる、という効果を奏する。
【図面の簡単な説明】
【０００８】
【図１】図１は、本発明にかかる通信装置の実施の形態１の機能構成例を示す図である。
【図２】図２は、一般的な通信の通信開始時の手順の一例を簡略化して示したシーケンス図である。
【図３】図３は、再送信後に通信を確立する場合のシーケンス図である。
【図４】図４は、２回のリトライの後に、ユーザデータの通信が確立できない場合のシーケンス図である。
【図５】図５は、実施の形態３の通信システムの構成例を示す図である。
【図６】図６は、実施の形態３の子局の機能構成例を示す図である。
【図７】図７は、実施の形態３の親局の機能構成例を示す図である。
【図８】図８は、実施の形態４の子局の機能構成例を示す図である。
【符号の説明】
【０００９】
１  フィルタ部
１ａ−１，１１−１  第１のフィルタ部
１ａ−２，１１−２  第２のフィルタ部
２，２ａ  主データ処理部
３，３ａ  副データ処理部
４，１５  多重部
４ａ−１  第１の多重部
４ａ−２  第２の多重部
５  親局
６  分岐装置
７−１〜７−３  子局
８，１４  制御信号生成部
１２−１，２３ａ−１  第１の高速処理部
１２−２，２３ａ−２  第２の高速処理部
１３，３１，３１ａ  信号処理部
２１  ＣＰＵ
２２  大容量メモリ
２３  高速処理部
３２  記憶部
３２ａ−１  第１の記憶部
３２ａ−２  第２の記憶部
【発明を実施するための最良の形態】
【００１０】
以下に、本発明にかかる通信装置および通信システムの実施の形態を図面に基づいて詳細に説明する。なお、この実施の形態によりこの発明が限定されるものではない。【００１１】
実施の形態１．
図１は、本発明にかかる通信装置の実施の形態１の機能構成例を示す図である。本実施の形態の通信装置は、図１に示すように、入力データから特定のデータを検出するフィルタ部１と、主データ処理部２と、特定の通信に必要な処理を実施する副データ処理部３と、主データ処理部２および副データ処理部３から出力されるそれぞれのデータを多重または選択する多重部４と、で構成される。【００１２】
主データ処理部２は、ＣＰＵ（Central  Processing  Unit）２１と、大容量メモリ２２と、送受信データを処理する高速処理部２３と、で構成される。また、副データ処理部３は、フィルタ部１から出力される検出信号を処理する信号処理部３１と、信号処理部３１が処理のために保持するデータやフィルタ部１が処理のために保持するデータなど特定のデータを記憶するための記憶部３２と、で構成される。【００１３】
一般に、通信装置間でユーザデータが送受信される際、その通信経路やフォーマットを確認するため上位レイヤでのプロトコル処理に必要な制御データがまず送受信され、確認が完了した後に実際のユーザデータが送受信される。図２は、一般的な通信の通信開始時の手順の一例を簡略化して示したシーケンス図である。まず、通信装置である装置Ａから上位レイヤでのプロトコル処理に必要な制御データを含む信号（上位レイヤの制御信号）である上位レイヤ制御Ｄ１信号が通信相手である装置Ｂに送信される（ステップＳ１１）。そして、装置Ｂが応答として上位レイヤ制御Ｕ１信号を装置Ｂに送信し（ステップＳ１２）、実際のユーザデータの送受信が行われ、通信が開始される（ステップＳ１３）。【００１４】
この上位レイヤの制御信号は、通信の開始および終了時に送受信されたり、通信継続中に周期的に送受信されたりすることが多く、またユーザデータに比較してデータ量が少ない。このため、この制御信号を監視することにより、通信の状態を容易に把握することができる。【００１５】
図１に戻って、本実施の形態の動作を説明する。フィルタ部１は、入力データからこの上位レイヤの制御信号を検出し、検出した信号を信号処理部３１に出力する。そして、信号処理部３１は、フィルタ部１が検出した制御信号に基づいて通信状態が開始、終了、継続のいずれであるかを判定する。なお、ここでは、上位レイヤの制御信号の所定の情報を参照することにより、通信状態が把握できることとする。信号処理部３１は、さらに、この判定結果に基づいて主データ処理部２の動作の停止制御（停止または開始の指示）を行う。これにより、実際の通信状態に応じて主データ処理部２の動作を制御することができる。具体的には、たとえば、判定結果が通信の開始であった場合には、主データ処理部２の動作を開始し、判定結果が通信の終了であった場合には、主データ処理部２の動作を停止する。以下では、主データ処理部２が動作している状態を通常状態とよび、主データ処理部２が停止している状態を休止状態とよぶ。【００１６】
通常状態では、フィルタ１は、入力データを主データ処理部２に出力し、主データ処理部２は、入力データに対して所定の処理を実施する。そして、多重部４が、主データ処理部２による処理後のデータに対して多重化処理などを実施し、外部へ出力する。また、休止状態では、主データ処理部２が停止しているため、もし主データ処理部２にユーザデータが入力されると処理されずに廃棄されてしまうが、本実施の形態では、上記のようにユーザデータの送受信が開始される前に通信の開始を判定して通常状態に移行するため、ユーザデータの廃棄は発生せず、また、速やかに通信が開始される。【００１７】
なお、図１の例では、信号処理部３１が記憶部３２に所定の特定データを記憶し、必要な場合には記憶部３２から多重部４にその特定データを出力し、多重部４が主データ処理部２と多重化して送信できるような構成としているが、特定データの送信が必要ない場合には、記憶部３２を備えなくてもよい。【００１８】
なお、本実施の形態では、上位レイヤの制御信号の情報を監視して、通信状態を判定するようにしたが、これに限らず、単位時間あたりの上位レイヤの制御信号到着数をカウントし、カウント結果に基づいて通信状態を判定するようにしてもよい。【００１９】
なお、本実施の形態では、消費電力を低減させるための状態として休止状態（動作停止）のみを考慮したが、省電力状態として、たとえば通信レートを低減した電力を低減されるような状態が定義されている場合には、信号処理部３１が、さらに、通信状態として通信レートを把握するようにして、通信レートに基づいて省電力状態への移行を行うようにしてもよい。【００２０】
以上のように、本実施の形態では、フィルタ１が上位レイヤの制御信号を検出し、信号処理部３１が、検出された制御信号に基づいて通信状態を判定し、通信状態に基づいてデータ処理部２の動作の停止および開始の制御を行うようにした。そのため、休止状態で、通信が開始された場合にも、ユーザデータを廃棄することなく、また、速やかに通常状態に遷移することができる。【００２１】
実施の形態２．
つづいて、本発明にかかる通信装置の実施の形態２について説明する。本実施の形態の通信装置の構成は実施の形態１と同様である。実施の形態１では上位レイヤの制御信号に基づいて主データ処理部２の停止・開始制御を行ったが、本実施形態では、さらに、フィルタ部１が、検出した上位レイヤの制御信号を記憶部３２に記憶する。そして、信号処理部３１は、記憶部３２に記憶された上位レイヤの制御信号に対して転送処理を行う。具体的には、信号処理部３１は、記憶部３２に記憶された上位レイヤの制御信号について必要な部分を修正し、修正後の上位レイヤの制御信号を記憶部３２経由で多重部４に出力する。【００２２】
ここで、転送処理とは、受信した上位レイヤの制御信号を必要な場合にはその内容を修正して返送する処理、たとえば、図２に示した例で上位レイヤ制御Ｕ１信号のような応答信号を返送する処理に相当し、一般には、主データ処理部２が実施する処理である。主データ処理部２がこの転送処理を実施する場合、休止状態の間は転送処理が実施できない。これに対し、本実施の形態では、主データ処理部２が休止状態から通常状態に遷移するまでの間に、上位レイヤの制御信号を他装置に転送することができる。以上述べた以外の本実施の形態の動作は、実施の形態１と同様である。【００２３】
つづいて、本実施形態の効果が現れる例について説明する。図３は、再送信後に通信を確立する場合のシーケンス図である。図３の例では、装置Ａが、上位レイヤ制御Ｄ１−１信号を送信し（ステップＳ２１）、リトライを行うための所定のリトライ待ち時間Ｔｒが経過しても返送がないため、装置Ａが再送信（リトライ）として上位レイヤ制御Ｄ１−２信号を送信する（ステップＳ２２）。そして、上位レイヤ制御Ｄ１−２信号を受信後、装置Ｂが、実施の形態１と同様に上位レイヤ制御Ｕ１信号を送信し（ステップＳ１２）、ユーザデータの送受信が開始される（ステップＳ１３）。【００２４】
また、図４は、２回のリトライの後に所定の応答待ち時間以上の時間が経過したため、ユーザデータの通信が確立できない場合のシーケンス図である。図４の例では、図３と同様にステップＳ２２までが実施され、装置Ａは、その後、さらにリトライ待ち時間が経過しても返送がないため、２回目のリトライとして上位レイヤ制御Ｄ１−３信号を送信する（ステップＳ２３）。この例では、リトライは２回まで実施することとし、２回のリトライの後は、所定の応答待ち時間Ｔｄの間、返送を待機しても応答がない場合には、通信の確立処理を終了することとする。したがって、図４に示すように、応答待ち時間Ｔｄが経過した後に、ステップＳ２３の後に装置Ｂが返送として上位レイヤ制御Ｕ１信号を送信したとしても（ステップＳ１２）、応答待ち時間Ｔｄの経過後に、装置Ａがその信号を受信した場合には、通信は確立できない。【００２５】
このように、一般に上位レイヤの制御信号の送受信では、リトライ回数や応答待ち時間の規定があるため、従来のように主データ処理部２が制御信号の返信を行う場合、休止状態から通常状態への遷移に時間がかかると通信が確立できなくなるという問題がある。これに対し、本実施の形態では、信号処理部３１が返送を行うため、このような問題が生じない。【００２６】
このように、本実施形態では、上位レイヤの制御信号を記憶部３２に記憶しておき、信号処理部３１が記憶部３２に記憶されている上位レイヤの制御信号に基づいてその制御信号の返送処理を実施するようにした。そのため、主データ処理部の状態にかかわりなく、信号処理部の動作によって上位レイヤの制御信号の応答がなされるため、休止状態から通常状態への遷移に時間がかかる場合でも、通信を確立することができる。【００２７】
実施の形態３．
図５は、本発明にかかる実施の形態３の通信システムの構成例を示す図である。本実施の形態の通信システムは、親局５と、分岐装置６と、子局７−１〜７−３で構成され、親局５が子局７−１〜７−３を収容する形態でデータの通信を行う。このような通信システムとしては、たとえば、光ファイバを用いた通信方式としてＰＯＮ（Passive  Optical  Network）が相当する。本実施の形態では、子局７−１〜７−３および親局装置５が、本発明にかかる通信装置として機能することとする。【００２８】
以下では、親局５から子局７−１〜７−３への方向を下り、子局７−１〜７−３から親局５への方向を上りとよぶこととする。なお、上り方向のデータは、子局７−１〜７−３にそれぞれ接続されるユーザ装置等から子局７−１〜７−３に入力され親局５に送信され、下り方向のデータは、親局５から子局７−１〜７−３を経由してユーザ装置等に出力されるとする。【００２９】
図６は、子局７−１〜７−３の機能構成例を示す図である。図６に示すように、本実施の形態の子局７−１〜７−３は、第１のフィルタ部１ａ−１，第２のフィルタ部１ａ−２，主データ処理部２ａ，副データ処理部３ａ，第１の多重部４ａ−１，第２の多重部４ａ−２，制御信号生成部８で構成される。また、主データ処理部２ａは、実施の形態１の主データ処理部２と同様にＣＰＵ２１，大容量メモリ２２を備え、高速処理部２３の替わりに第１の高速処理部２３ａ−１および第２の高速処理部２３ａ−２を備える。また、副データ処理部３ａは、信号処理部３１と記憶部３２で構成される。実施の形態１の副データ処理部３と同様である。実施の形態１と同様の機能を有する構成要素は同一の符号を付して説明を省略する。子局７−１〜７−３は、図１に示した実施の形態１の通信装置と異り、上り，下りのそれぞれの方向ごとにデータ処理系、フィルタ部および多重部を設け、また上り方向用に制御信号生成部８を設けている。【００３０】
図７は、親局５の機能構成例を示す図である。図７に示すように、親局５は、第１のフィルタ部１１−１，第２のフィルタ部１１−２，第１の高速処理部１２−１，第２の高速処理部１２−２，信号処理部１３，制御信号生成部１４，多重部１５で構成される。親局５は、子局７−１〜７−３と同様に上り，下りのそれぞれの方向ごとにデータ処理系およびフィルタ部を設け、また下り方向に制御信号生成部１４を設けている。【００３１】
まず、親局５の動作について説明する。第１のフィルタ部１１−１，第２のフィルタ部１１−２は、それぞれ下り入力データ，上り入力データから、実施の形態１のフィルタ部１と同様に、上位レイヤの制御信号を検出し、信号処理部１３に通知する。信号処理部１３は、実施の形態１と同様に、検出した上位レイヤの制御信号に基づいて各子局の通信状態を判定し、通信状態に基づいてそれぞれの子局に対して休止状態または通常状態への遷移を指示する情報を制御信号生成部１４へ送る。制御信号生成部１４は、この情報を上位レイヤの制御信号に含めて多重部１５に送る。なお、上位レイヤの制御信号には、どの子局７−１〜７−３を経由した上位レイヤの制御信号であるかを識別するための情報を含んでいることとする。【００３２】
一方、第１のフィルタ部１１−１は、下り入力データを第１の高速処理部１２−１に出力する。高速処理部１２−１は所定の処理を実施後に、多重部１５に処理後の下りデータとして出力する。そして、多重部１５は、高速処理部１２−１から出力される下りデータと制御信号生成部１４から出力される制御信号とを多重して出力する。【００３３】
また、第２のフィルタ部１１−２は、上り入力データを第２の高速処理部１２−２に出力し、第２の高速処理部１２−２が所定の処理を実施し、処理後のデータを出力する。【００３４】
つづいて、子局７−１〜７−３の動作について説明する。局７−１〜７−３では、第１のフィルタ部１ａ−１が、入力された下りデータ（親局５から送信された多重化された下りデータ）から上位レイヤの制御信号を抽出し、抽出した上位レイヤの制御信号を信号処理部３１へ出力する。信号処理部３１は、この上位レイヤの制御信号に含まれる親局５からの休止状態・通常状態の遷移指示の情報に基づいて主データ処理部２ａの停止または動作開始を指示する。また信号処理部３１は、この上位レイヤの制御信号に基づいて制御信号生成部８に親局５への上位レイヤの制御信号の生成を指示し、制御信号生成部８は、指示に基づいて親局５への上位レイヤの制御信号を生成して第２の多重部４ａ−２に出力する。このとき生成する上位レイヤの制御信号には、自身の主データ処理部２ａの状態（休止状態、通常状態）を示す情報を含めることとする。【００３５】
第１のフィルタ部１ａ−１は、下り入力データを第１の高速処理部２３ａ−１に出力し、第１の高速処理部２３ａ−１は所定の処理を行った後に、処理後の下りデータとして第１の多重部４ａ−１に出力する。また、第２のフィルタ部１ａ−２は、上り入力データを第２の高速処理部２３ａ−２に出力し、第２の高速処理部２３ａ−２は所定の処理を行った後に、処理後の上りデータを第２の多重部４ａ−２に出力する。第２の多重部４ａ−２は、制御信号生成部８から出力された上位レイヤの制御信号と第２の高速処理部２３ａ−２から出力された上りデータとを多重化して出力する。【００３６】
また、実施の形態２と同様に、第１のフィルタ部１ａ−１は、記憶部３２には上位レイヤの制御信号を格納し、信号処理部３１が、記憶部３２に格納された上位レイヤの制御信号の転送処理を行う。具体的には、記憶部３２に格納された上位レイヤの制御信号の必要部分を修正して、記憶部３２経由で第１の多重部４ａ−１に出力する。第１の多重部４ａ−１は、第１の高速処理部２３ａ−１から出力される下り入力データと上位レイヤの制御信号とを多重化して出力する。【００３７】
このように、本実施の形態では、親局５が、上位レイヤの制御信号に基づいて子局７−１〜７−３の通信状態を判定し、判定結果に基づいてそれぞれの子局に対して休止状態または通常状態への遷移を指示する情報を上位レイヤの制御信号に含めて送信する。そして、子局７−１〜７−３は、上位レイヤの制御信号に含まれる情報に基づいて主データ処理部２ａに停止または動作再開を指示するようにした。そのため、実施形態１、２と同様にユーザデータを廃棄せずに子局７−１〜７−３の主データ処理部２ａの停止制御を行うことができる。【００３８】
さらに、本実施形態では、子局７−１〜７−３の通信状態の判定を親局５が集中的に実施するため、子局７−１〜７−３では通信状態の判定処理を行う必要がなく、小さな処理能力または回路規模で実現できる。さらに、子局７−１〜７−３が上り方向に上位レイヤの制御信号を送出するため、親局５は子局７−１〜７−３の状態（休止状態であるか通常状態であるか）を把握できるため、自身が行った遷移指示の制御状況（指示したとおりの状態になっているか）を確認することができる。また、制御信号生成部８が上位レイヤの制御信号を生成するため、休止状態で親局５と子局７−１〜７−３のリンク管理を行うことができる。【００３９】
また、上記の制御状況の確認が不要なシステムであれば、子局７−１〜７−３は、休止状態への遷移指示を受信した場合に、主データ処理部２ａだけでなく制御信号生成部８の動作も停止するようにすれば、さらに低消費電力化することができる。【００４０】
実施の形態４．
図７は、本発明にかかる実施の形態３の子局の機能構成例を示す図である。本実施の形態の子局は、実施の形態３の子局７−１〜７−３の副データ処理部３ａの替わりに、信号処理部３１ａ，第１の記憶部３２ａ−１，第２の記憶部３２ａ−２を備える以外は、実施の形態３の子局７−１〜７−３と同様である。本実施の形態の通信システム構成および親局の構成は、実施の形態３と同様である。ただし、本実施の形態では、子局が通信状態の判定処理を実施するため親局は子局の通信状態の判定処理を実施する必要はない。実施の形態１と同様の機能を有する構成要素は同一の符号を付して説明を省略する。【００４１】
本実施の形態では、子局は、実施の形態３と同様に上り、下りのそれぞれについてフィルタ部、データ処理部を備えている。本実施の形態では、実施の形態３と異なり、第１のフィルタ部１ａ−１，第２のフィルタ部１ａ−２が、それぞれ下り入力データ，上り入力データから上位レイヤの制御信号を検出し、検出した上位レイヤの制御信号を信号処理部３１ａに出力する。【００４２】
信号処理部３１ａは、第１のフィルタ部１ａ−１，第２のフィルタ部１ａ−２から出力される上位レイヤの制御信号に基づいて、実施の形態１の信号処理部３１と同様に通信状態を判定する。そして、信号処理部３１ａは、その判定結果に基づき、第１の高速処理部２３ａ−１，第２の高速処理部２３ａ−２の動作を個別に停止／開始の制御を実施する。第１の高速処理部２３ａ−１，第２の高速処理部２３ａ−２の動作の停止／開始制御の替わりに主データ処理部２ａ全体の停止／開始制御を行うようにしてもよい。また必要に応じ、信号処理部３１ａは、制御信号生成部８に指示することにより、親局５へ自身の状態（休止状態、通常状態）の通知情報を送り、実施の形態３と同様にリンク管理を行うようにしてもよい。【００４３】
このように、本実施形態では、第１のフィルタ部１ａ−１，第２のフィルタ部１ａ−２が、上位レイヤの制御信号を検出し、信号処理部３１ａそれぞれ上り方向、下り方向に対応する第１の高速処理部２３ａ−１，第２の高速処理部２３ａ−２を個別に停止／開始制御するようにした。そのため、片方向の通信を停止することが困難なネットワークや通信方式（片方向は常に通信継続状態である必要があるネットワークや通信方式）を用いたシステムにおいても、効率的に低消費電力化を実現することが可能である。また実施形態１、２と同様にユーザデータの廃棄を防止することができる。
【産業上の利用可能性】
【００４４】
以上のように、本発明にかかる通信装置および通信システムは、データ通信を行う通信システムにおける省電力化に有用であり、特に、休止状態から通信状態への遷移の所要時間が長い通信システムに適している。
【図１】
2010092683.tif 000003
【図２】
2010092683.tif 000004
【図３】
2010092683.tif 000005
【図４】
2010092683.tif 000006
【図５】
2010092683.tif 000007
【図６】
2010092683.tif 000008
【図７】
2010092683.tif 000009
【図８】
2010092683.tif 000010
【手続補正書】
【提出日】平成23年5月23日(2011.5.23)
【手続補正１】
【補正対象書類名】明細書
【補正対象項目名】０００６
【補正方法】変更
【補正の内容】
【０００６】
上述した課題を解決し、目的を達成するために、本発明は、入力データに所定のデータ処理を実施するデータ処理手段を備え、通信装置から特定の装置へ向かう方向の通信である上り通信と前記特定の装置から前記通信装置へ向かう方向の通信である下り通信とを行い、前記データ処理手段の動作が停止している状態である休止状態と前記データ処理手段が動作している状態である通常状態との２つの状態を切り替えて動作する通信装置であって、前記入力データから通信状態を示す通信状態情報を抽出するフィルタ手段と、前記通信状態情報に基づいて、上り通信と下り通信とについてそれぞれ個別に前記データ処理手段を休止状態または通常状態に遷移させる信号処理手段と、を備えることを特徴とする。
【手続補正２】
【補正対象書類名】特許請求の範囲
【補正対象項目名】全文
【補正方法】変更
【補正の内容】
【特許請求の範囲】
【請求項１】
入力データに所定のデータ処理を実施するデータ処理手段を備え、通信装置から特定の装置へ向かう方向の通信である上り通信と前記特定の装置から前記通信装置へ向かう方向の通信である下り通信とを行い、前記データ処理手段の動作が停止している状態である休止状態と前記データ処理手段が動作している状態である通常状態との２つの状態を切り替えて動作する通信装置であって、
前記入力データから通信状態を示す通信状態情報を抽出するフィルタ手段と、
前記通信状態情報に基づいて、上り通信と下り通信とについてそれぞれ個別に前記データ処理手段を休止状態または通常状態に遷移させる信号処理手段と、
を備えることを特徴とする通信装置。
【請求項２】
前記通信状態情報を記憶するための記憶手段、
をさらに備え、
前記フィルタ手段は、抽出した通信状態情報を前記記憶手段に記憶し、
前記信号処理手段は、前記記憶手段に記憶されている通信状態情報に基づいて前記データ処理手段を休止状態または通常状態に遷移させ、また、前記記憶手段に記憶されている通信状態情報の転送処理を行うことを特徴とする請求項１に記載の通信装置。
【請求項３】
前記転送処理対象の通信状態情報と送信データとを多重化して送信することを特徴とする請求項２に記載の通信装置。
【請求項４】
前記通信状態情報を、通信制御を行うプロトコルに基づく制御信号とすることを特徴とする請求項１、２または３に記載の通信装置。
【請求項５】
前記信号処理手段は、単位時間あたりの前記制御信号の到着数を計数し、その到着数に基づいて前記データ処理手段を休止状態または通常状態に遷移させることを特徴とする請求項４に記載の通信装置。
【請求項６】
親局装置と複数の子局装置で構成され、前記子局装置が、入力データを処理するデータ処理手段を備え、かつ、前記データ処理手段の動作が停止している状態である休止状態と前記データ処理手段が動作している状態である通常状態との２つの状態を切り替えて動作する場合、における通信システムであって、
前記親局装置は、
前記子局装置から受信した受信データから通信状態を示す通信状態情報を抽出する第１のフィルタ手段と、
前記子局装置宛ての送信データから通信状態を示す通信状態情報を抽出する第２のフィルタ手段と、
子局装置ごとに、前記通信状態情報に基づいて上り通信と下り通信とについてそれぞれ個別に休止状態への遷移または通常状態への遷移を指示するか否かを決定する親局信号処理手段と、
前記決定した結果に基づいて、子局装置に休止状態への遷移または通常状態への遷移を指示するための制御信号を生成する親局制御信号生成手段と、
前記子局装置宛ての送信データとその子局装置宛ての前記制御信号とを多重化して送信する多重手段と、
を備え、
前記子局装置は、
前記親局装置から受信した受信データから前記制御信号を抽出する子局フィルタ手段と、
抽出した制御信号に基づいて、上り通信と下り通信とについてそれぞれ個別に休止状態または通常状態への遷移を行う子局信号処理手段と、
を備えることを特徴とする通信システム。
【請求項７】
前記子局装置は、
前記親局装置宛ての制御信号を生成する子局制御信号生成手段、
をさらに備え、
前記子局信号処理手段が、休止状態への遷移または通常状態への遷移を実施した場合に、その旨を前記子局制御信号生成手段へ通知し、
前記子局制御信号生成手段が、前記子局信号処理手段からの通知に基づいて前記親局装置宛ての制御信号を生成することを特徴とする請求項６に記載の通信システム。
【請求項８】
親局装置と、前記親局装置から下りデータを受信しかつ前記親局装置以外の装置から上りデータを受信する複数の子局装置と、を備える通信システム、における前記子局装置であって、
前記下りデータから通信状態を示す第１の通信状態情報を抽出する第１のフィルタ手段と、
前記上りデータから通信状態を示す第２の通信状態情報を抽出する第２のフィルタ手段と、
前記下りデータに対してデータ処理を実施する第１のデータ処理手段と、
前記上りデータに対してデータ処理を実施する第２のデータ処理手段と、
前記第１の通信状態情報および前記第２の通信状態情報に基づいて、前記第１のデータ処理手段の動作の停止および開始と、前記第２のデータ処理手段の動作の停止および開始と、を個別に制御する信号処理手段と、
を備えることを特徴とする子局装置。
【請求項９】
前記親局装置宛ての制御信号を生成するための制御信号生成手段、
をさらに備え、
前記信号処理手段が、前記第１のデータ処理手段の動作の状態と、前記第２のデータ処理手段の動作の状態とを前記制御信号生成手段へ通知し、
前記制御信号生成手段が、前記信号処理手段からの通知に基づいて前記親局装置宛ての制御信号を生成することを特徴とする請求項８に記載の子局装置。
【手続補正書】
【提出日】平成24年3月28日(2012.3.28)
【手続補正１】
【補正対象書類名】特許請求の範囲
【補正対象項目名】全文
【補正方法】変更
【補正の内容】
【特許請求の範囲】
【請求項１】
入力データに所定のデータ処理を実施するデータ処理手段を備え、通信装置から特定の装置へ向かう方向の通信である上り通信と前記特定の装置から前記通信装置へ向かう方向の通信である下り通信とを行い、前記データ処理手段の動作が停止している状態である休止状態と前記データ処理手段が動作している状態である通常状態との２つの状態を切り替えて動作する通信装置であって、
前記入力データから通信状態を示す通信状態情報を抽出するフィルタ手段と、
前記通信状態情報に基づいて、上り通信と下り通信とについてそれぞれ個別に前記データ処理手段を休止状態または通常状態に遷移させる信号処理手段と、
を備えることを特徴とする通信装置。
【請求項２】
前記信号処理手段は、前記入力データから抽出された通信状態情報に基づいて、前記上り通信に関する前記データ処理手段を休止状態に、前記下り通信に関する前記データ処理手段を通常状態に遷移させること、
を特徴とする請求項１に記載の通信装置。
【請求項３】
前記通信状態情報を記憶するための記憶手段、
をさらに備え、
前記フィルタ手段は、抽出した通信状態情報を前記記憶手段に記憶し、
前記信号処理手段は、前記記憶手段に記憶されている通信状態情報に基づいて前記データ処理手段を休止状態または通常状態に遷移させ、また、前記記憶手段に記憶されている通信状態情報の転送処理を行うことを特徴とする請求項１または２に記載の通信装置。
【請求項４】
前記転送処理対象の通信状態情報と送信データとを多重化して送信することを特徴とする請求項３に記載の通信装置。
【請求項５】
前記通信状態情報を、通信制御を行うプロトコルに基づく制御信号とすることを特徴とする請求項１〜４のいずれか１つに記載の通信装置。
【請求項６】
前記信号処理手段は、単位時間あたりの前記制御信号の到着数を計数し、その到着数に基づいて前記データ処理手段を休止状態または通常状態に遷移させることを特徴とする請求項５に記載の通信装置。
【請求項７】
親局装置と複数の子局装置で構成され、前記子局装置が、入力データを処理するデータ処理手段を備え、かつ、前記データ処理手段の動作が停止している状態である休止状態と前記データ処理手段が動作している状態である通常状態との２つの状態を切り替えて動作する場合、における通信システムであって、
前記親局装置は、
前記子局装置から受信した受信データから通信状態を示す通信状態情報を抽出する第１のフィルタ手段と、
前記子局装置宛ての送信データから通信状態を示す通信状態情報を抽出する第２のフィルタ手段と、
子局装置ごとに、前記通信状態情報に基づいて上り通信と下り通信とについてそれぞれ個別に休止状態への遷移または通常状態への遷移を指示するか否かを決定する親局信号処理手段と、
前記決定した結果に基づいて、子局装置に休止状態への遷移または通常状態への遷移を指示するための制御信号を生成する親局制御信号生成手段と、
前記子局装置宛ての送信データとその子局装置宛ての前記制御信号とを多重化して送信する多重手段と、
を備え、
前記子局装置は、
前記親局装置から受信した受信データから前記制御信号を抽出する子局フィルタ手段と、
抽出した制御信号に基づいて、上り通信と下り通信とについてそれぞれ個別に休止状態または通常状態への遷移を行う子局信号処理手段と、
を備えることを特徴とする通信システム。
【請求項８】
前記親局信号処理手段は、前記通信状態情報に基づいて前記上り通信に関する前記データ処理手段を休止状態に、前記下り通信に関する前記データ処理手段を通常状態に遷移するよう前記子局装置に対して指示することを決定すること、
を特徴とする請求項７に記載の通信システム。
【請求項９】
前記子局装置は、
前記親局装置宛ての制御信号を生成する子局制御信号生成手段、
をさらに備え、
前記子局信号処理手段が、休止状態への遷移または通常状態への遷移を実施した場合に、その旨を前記子局制御信号生成手段へ通知し、
前記子局制御信号生成手段が、前記子局信号処理手段からの通知に基づいて前記親局装
置宛ての制御信号を生成することを特徴とする請求項７または８に記載の通信システム。
【請求項１０】
親局装置と、前記親局装置から下りデータを受信しかつ前記親局装置以外の装置から上りデータを受信する複数の子局装置と、を備える通信システム、における前記子局装置であって、
前記下りデータから通信状態を示す第１の通信状態情報を抽出する第１のフィルタ手段と、
前記上りデータから通信状態を示す第２の通信状態情報を抽出する第２のフィルタ手段と、
前記下りデータに対してデータ処理を実施する第１のデータ処理手段と、
前記上りデータに対してデータ処理を実施する第２のデータ処理手段と、
前記第１の通信状態情報および前記第２の通信状態情報に基づいて、前記第１のデータ処理手段の動作の停止および開始と、前記第２のデータ処理手段の動作の停止および開始と、を個別に制御する信号処理手段と、
を備えることを特徴とする子局装置。
【請求項１１】
前記信号処理手段は、前記第１の通信状態情報および前記第２の通信状態情報に基づいて、前記第１のデータ処理手段を通常状態に、前記第２のデータ処理手段を休止状態に制御すること、
を特徴とする請求項１０に記載の子局装置。
【請求項１２】
前記親局装置宛ての制御信号を生成するための制御信号生成手段、
をさらに備え、
前記信号処理手段が、前記第１のデータ処理手段の動作の状態と、前記第２のデータ処理手段の動作の状態とを前記制御信号生成手段へ通知し、
前記制御信号生成手段が、前記信号処理手段からの通知に基づいて前記親局装置宛ての制御信号を生成することを特徴とする請求項１０または１１に記載の子局装置。
【国際調査報告】
2010092683.tif 000011
2010092683.tif 000012
2010092683.tif 000013